(57)【要約】【課題】調理時の調理部からの熱による影響を受けにくいカメラを有する加熱調理器を提供する。【解決手段】加熱調理器は、調理対象物を加熱して調理する調理部１０を備える。調理部１０の外側で且つ側部に配置され、調理部１０を駆動する電気部品部３０を備える。調理部１０の外側で且つ上部と、電気部品部３０の上部との間を移動可能な状態に配置され、調理部１０の内部を撮影する撮影時には調理部１０の上部に配置され、撮影時以外の時には電気部品部３０の上部に配置されるカメラ１１０を有するカメラ部１００を備える。【選択図】図４
2008292009.tif 000002
【特許請求の範囲】
【請求項１】
調理対象物を加熱して調理する調理部と、
前記調理部の外側で且つ側部に配置され、前記調理部を駆動する電気部品部と、
前記調理部の外側で且つ上部と、前記電気部品部の上部との間を移動可能な状態に配置され、前記調理部の内部を撮影する撮影時には前記調理部の上部に配置され、前記撮影時以外の時には前記電気部品部の上部に配置されるカメラを有するカメラ部とを備えることを特徴とする加熱調理器。
【請求項２】
前記カメラ部は、ファンからの冷却風を前記カメラに送気する送気部を有することを特徴とする請求項１に記載の加熱調理器。
【請求項３】
前記送気部は、前記カメラが前記調理部の上部に配置された場合に伸びて、前記カメラが前記電気部品部の上部に配置された場合に縮むダクトを有することを特徴とする請求項２に記載の加熱調理器。
【請求項４】
前記ファンは、前記電気部品部の各部を冷却するために使用される前記電気部品部用ファンと、前記カメラを冷却するために使用されるカメラ用ファンとを有することを特徴とする請求項３に記載の加熱調理器。
【請求項５】
前記調理部は、上面に、前記カメラが前記調理部の内部を撮影するための穴部を有し、
前記カメラ部は、前記カメラが前記電気部品部の上部に配置された場合に前記穴部の上部に配置されて前記調理部と前記調理部の上部とを遮断し、前記カメラが前記穴部の上部に配置された場合に前記穴部の上部以外の位置に配置される蓋部を有することを特徴とする請求項１に記載の加熱調理器。
【請求項６】
前記蓋部は、前記カメラが前記電気部品部の上部に配置された場合には、弾性部材の付勢によって前記穴部の上部に配置され、前記カメラが前記穴部の上部に配置された場合には、前記カメラによって前記蓋部が前記穴部の上部以外の位置に押しのけられることを特徴とする請求項５に記載の加熱調理器。
【請求項７】
前記カメラ部は、前記カメラを前記調理部の上部と前記電気部品部の上部との間を移動させるために、前記カメラを摺動自在で且つ上から保持する保持部を有することを特徴とする請求項１に記載の加熱調理器。
【請求項８】
前記カメラと前記調理部の上面との間に配置され、前記カメラが移動する際に、前記カメラのレンズと接触して、前記レンズの汚れを拭き取る拭き取り部をさらに備えることを特徴とする請求項１に記載の加熱調理器。
【発明の詳細な説明】
【技術分野】
【０００１】
本発明は、加熱調理器に関し、特に調理部の内部を撮影するカメラを有する加熱調理器に関する。
【背景技術】
【０００２】
調理部内の調理対象物の調理状況を撮影するカメラを有する加熱調理器が提案されている。
【０００３】
特許文献１は、調理部の上部にカメラが配置された加熱調理器を開示する。
【特許文献１】特開２００３−５６８５２号公報
【発明の開示】
【発明が解決しようとする課題】
【０００４】
しかし、調理部の上部は調理時に温度上昇する。温度上昇は、カメラを構成する撮像素子やレンズに悪影響を及ぼすおそれがある。
【０００５】
したがって本発明の目的は、調理時の調理部からの熱による影響を受けにくいカメラを有する加熱調理器を提供することである。
【課題を解決するための手段】
【０００６】
本発明に係る加熱調理器は、調理対象物を加熱して調理する調理部と、調理部の外側で且つ側部に配置され、調理部を駆動する電気部品部と、調理部の外側で且つ上部と、電気部品部の上部との間を移動可能な状態に配置され、調理部の内部を撮影する撮影時には調理部の上部に配置され、撮影時以外の時には電気部品部の上部に配置されるカメラを有するカメラ部とを備える。
【０００７】
好ましくは、カメラ部は、ファンからの冷却風をカメラに送気する送気部を有する。
【０００８】
さらに好ましくは、送気部は、カメラが調理部の上部に配置された場合に伸びて、カメラが電気部品部の上部に配置された場合に縮むダクトを有する。
【０００９】
さらに好ましくは、ファンは、電気部品部の各部を冷却するために使用される電気部品部用ファンと、カメラを冷却するために使用されるカメラ用ファンとを有する。
【００１０】
また、好ましくは、調理部は、上面に、カメラが調理部の内部を撮影するための穴部を有し、カメラ部は、カメラが電気部品部の上部に配置された場合に穴部の上部に配置されて調理部と調理部の上部とを遮断し、カメラが穴部の上部に配置された場合に穴部の上部以外の位置に配置される蓋部を有する。
【００１１】
さらに好ましくは、蓋部は、カメラが電気部品部の上部に配置された場合には、弾性部材の付勢によって穴部の上部に配置され、カメラが穴部の上部に配置された場合には、カメラによって蓋部が穴部の上部以外の位置に押しのけられる。
【００１２】
また、好ましくは、カメラ部は、カメラを調理部の上部と電気部品部の上部との間を移動させるために、カメラを摺動自在で且つ上から保持する保持部を有する。
【００１３】
また、好ましくは、カメラと調理部の上面との間に配置され、カメラが移動する際に、カメラのレンズと接触して、レンズの汚れを拭き取る拭き取り部をさらに備える。
【発明の効果】
【００１４】
以上のように本発明によれば、調理時の調理部からの熱による影響を受けにくいカメラを有する加熱調理器を提供することができる。
【発明を実施するための最良の形態】
【００１５】
以下、本発明の実施形態について、図を用いて説明する。本実施形態における加熱調理器１は、調理部１０、電気部品部３０、及びカメラ部１００を備える（図１参照）。図１は、カメラ部１００など、加熱調理器１の内部構造を破線で表している。加熱調理器１は、オーブンや電子レンジなどの調理器で、前面扉１ｆから調理部１０に調理対象物を出し入れする。
【００１６】
調理部１０の上面に配置されたヒータ１１、１２、またはマグネトロン３２を使ったマイクロ波によって、調理部１０内部は加熱され、調理部１０内部に配置された調理対象物が調理される。
【００１７】
電気部品部３０は、調理部１０の外側で且つ側部に配置され、調理部１０を駆動するための部品として、ファン３１、マイクロ波を発生させるマグネトロン３２、ヒータ１１、１２、ファン３１、及びマグネトロン３２などの各部を駆動する電気回路３３、３４、３５を有する。ファン３１は、電気部品部３０、及びカメラ部１００のカメラ１１０を空冷により冷却する。
【００１８】
カメラ部１００は、ＣＣＤなどの撮像素子を有するカメラ１１０、蓋部１２０、蓋部用弾性部材１３０、蛇腹ダクト１４０、レール１５０、及び吸気部１６０を有する。カメラ部１００は、調理部１０、及び電気部品部３０の上部に配置される。
【００１９】
カメラ１１０は、図示しないモータなどの駆動によって、レール１５０に沿って移動可能な撮影部材であり、調理部１０における調理中などの撮影時には、調理部１０の外側で且つ調理部１０の上面で且つ中心近傍に設けられた穴部１７の上部に配置されて、調理部１０内を撮影する。撮影時以外は、カメラ１１０は、電気部品部３０の上部に配置される。
【００２０】
レール１５０は、カメラ１１０を調理部１０の上部と電気部品部３０の上部との間を移動させるために、カメラ１１０を摺動自在で且つ上から保持する。カメラ１１０を上から保持するため、レール１５０、及びカメラ１１０は、調理部１０の上面と接触しない配置が可能になり、調理部１０の上面からの熱伝導の影響を少なくすることが可能になる。
【００２１】
調理中、すなわち加熱調理器１の運転時は、調理部１０の上部の温度は、電気部品部３０の上部の温度に比べて高くなるため、調理部１０内の撮影を行う時以外は、温度の比較的低い領域に移動（待避）させる目的である。これにより、カメラ１１０を調理部１０の上部に固定する形態に比べて、カメラ１１０を構成する撮像素子などの電気部品やレンズの熱による悪影響を少なくすることが可能になる。
【００２２】
蓋部１２０は、弾性部材１３０によってカメラ１１０の移動方向と平行に移動可能な状態で付勢される。撮影時以外は、弾性部材１３０の引っ張り力（配置を代えて圧縮力でもよい）により、蓋部１２０が、穴部１７の上部に配置され、調理部１０内の調理対象物からの油などが飛散するのを防ぐ。撮影時は、カメラ１１０により穴部１７の上部から押しのけられる。従って、撮影時にカメラ１１０を穴部１７の上部に移動させる力は、弾性部材１３０の引っ張り力を上回る力を有する。
【００２３】
蛇腹ダクト１４０は、吸気部１６０とカメラ１１０の間に取り付けられ、ファン３１からの冷却風をカメラ１１０に送る送気管の役割を果たす。カメラ１１０の移動に伴って、撮影時は伸び、撮影時以外は縮む。吸気部１６０は、ファン３１からの冷却風を集めカメラ１１０に送る。
【００２４】
ファン３１は、通常、調理部１０内を調理設定温度まで加熱する際には、温度上昇の効率を上げるため、作動せず、調理設定温度まで加熱した後に作動するように動作制御される。調理部１０内の撮影は、通常、調理設定温度まで加熱した後、調理対象物の調理状況を確認するために行われる。そのため、調理部１０内を撮影する撮影時は、調理設定温度まで加熱されて、ファン３１が作動している状態にあるため、ファン３１を使って、カメラ１１０を冷却することができる。
【００２５】
但し、調理部１０内が調理設定温度まで加熱されるまでの間に撮影を行うことも考えられる。この期間は、調理部１０内の温度上昇の効率を上げるため、ファン３１の作動は行われない。そのため、吸気部１６０近傍にカメラ１１０用のファン（不図示）を設けて、カメラ１１０をファン３１とは別に冷却してもよい。この場合であっても、冷却風は蛇腹ダクト１４０を介してカメラ１１０に送気されるため、カメラ１１０用のファンからの冷却風が直接的にヒータ１１、１２などに当たって、温度上昇効率を下げる可能性は少ない。
【００２６】
図１〜３は、カメラ１１０が穴部１７の上部に移動し、蛇腹ダクト１４０が伸びた状態を示し、図４、５は、カメラ１１０が電気部品部３０の上部に移動し、蛇腹ダクト１４０が縮んだ状態を示す。図３、５は、レール１５０を省略している。
【００２７】
撮影時、穴部１７を介して飛散する調理対象物の油などにより、カメラ１１０のレンズが汚れることが考えられる。このため、カメラ１１０と調理部１０の上面との間に固定され、カメラ１１０が移動する際にレンズと接触して汚れを拭き取るワイパー部１８０を設けてもよい（図６参照）。
【００２８】
また、穴部１７を介して飛散しないように、穴部１７にガラスカバーなど透明部材を設けてもよい。この場合、ガラスカバーに電磁波をシールドする網などを設ければ、電磁波が穴部１７を介して調理部１０から外に漏れるのを防ぐことも可能になる。
【００２９】
カメラ１００で撮影されて得られた画像データは、ＤＳＰ（不図示）などの画像処理装置で画像処理されて、前面扉１ｆなどに設けられた表示部（不図示）に表示される。
【図面の簡単な説明】
【００３０】
【図１】本実施形態における加熱調理器の斜視図である。
【図２】カメラを穴部の上部に配置した撮影時における、調理部と電気部品部とカメラ部の構成を示す斜視図である。
【図３】カメラを穴部の上部に配置した撮影時における、調理部と電気部品部とカメラ部の構成を示す上面図である。
【図４】カメラを電気部品部の上部に配置した撮影時以外における、調理部と電気部品部とカメラ部の構成を示す斜視図である。
【図５】カメラを電気部品部の上部に配置した撮影時以外における、調理部と電気部品部とカメラ部の構成を示す上面図である。
【図６】カメラのレンズの汚れを拭き取るワイパーを設けた場合であって、カメラを電気部品部の上部に配置した撮影時以外における、調理部と電気部品部とカメラ部の構成を示す上面図である。
【符号の説明】
【００３１】
１  加熱調理器
１０  調理部
１１、１２  ヒータ
１７  穴部
３０  電気部品部
３１  ファン
３２  マグネトロン
３３、３４、３５  電気回路
１００  カメラ部
１１０  カメラ
１２０  蓋部
１３０  弾性部材
１４０  蛇腹ダクト
１５０  レール
１６０  吸気部
１８０  ワイパー
【図１】
2008292009.tif 000003
【図２】
2008292009.tif 000004
【図３】
2008292009.tif 000005
【図４】
2008292009.tif 000006
【図５】
2008292009.tif 000007
【図６】
2008292009.tif 000008